(57)【要約】【課題】直管形の蛍光ランプを用いる照明器具の器具本体に反射体を容易に取り付ける。【解決手段】天井面に直付設置する器具本体12に、固着具13及び反射体取付具14を用いて反射体15を取り付ける。器具本体12の中央部に設けた電源導入口24から電源線18を引き込む。反射体取付具14は、それぞれ略コの字状をなす取付金具41及び共通金具42を備える。取付金具41には、固着具13が螺合する固着具受け板部44を設ける。共通金具42には、電源導入口24と固着具受け板部44とに対向する対向板部51を設ける。対向板部51により、固着具13と電源線18との接触を防止する。取付金具41及び共通金具42はいずれも構造が簡略で、製造コストを低減できる。【選択図】図１
2005174730.tif 000002
【特許請求の範囲】
【請求項１】
電線導入口を設けた器具本体と；
器具本体に沿って配置される反射体と；
固着具受部を設けた固着具受け板部、この固着具受け板部の両端部から立ち上げられた側板部、及びこれら側板部の端部に連設され器具本体に固定される固定板部を一体に形成した取付金具と、電線導入口と固着具受け板部との間に位置する対向板部、この対向板部の両端部から立ち上げられた内側板部、及び、これら内側板部の端部に連設され固定板部とともに器具本体に固定される内固定板部を一体に形成した共通金具とを備えた反射体取付具と；
固着具受部に固着され反射体を支持する固着具と；
を具備していることを特徴とする照明器具。
【請求項２】
取付金具には、固着具受け板部と対向板部との間の空間部へ連通する開口部分を覆う覆板部が一体に形成された
ことを特徴とする請求項１記載の照明器具。
【請求項３】
取付金具の側板部は、共通金具の内側板部の外側に嵌合する
ことを特徴とする請求項１または２記載の照明器具。
【発明の詳細な説明】
【技術分野】
【０００１】
本発明は、器具本体と反射体とを備えた照明器具に関する。
【背景技術】
【０００２】
従来、例えば、直管形の蛍光ランプを光源として用い天井面に直付け設置される直付け形照明器具について、器具本体に反射体取付具を固定するとともに、この反射体取付具に螺合するねじを用いて反射体を支持する構成が知られている。そして、このような照明器具について、器具本体の取り付けの方向性をなくし、作業性を良好にするため、器具本体の長手方向の中央部に設けた電源引込孔から電源線を引き込む構成が知られている。また、反射体取付具について、器具本体の長手方向の中央部に反射体取付具を備え、反射体を支えるバランスを良好にする構成が知られている。
【０００３】
しかしながら、このような構成では、反射体取付具に螺合したねじが電源線に干渉しないように作業する必要があり、作業性が悪い問題を有している。
【０００４】
この点、反射体取付具を、器具本体に固定される固定板部と、ねじが螺合するねじ孔を設けたねじ受け板部と、これら固定板部とねじ受け板部とを連結する傾斜した仕切り板部とを備えた略Ｚ字状とする構成が知られている(例えば、特許文献１参照。)。そして、この構成では、傾斜した仕切り板部により、ねじと電源線との干渉を防止することが可能になっている。
【特許文献１】特許第３１３２３２９号公報
【発明の開示】
【発明が解決しようとする課題】
【０００５】
上記従来のように、傾斜した仕切り板部を備える構成では、形状が複雑であるため、部品加工に技術を要し、反射体取付具を製造する金型などに要する設備費用が上昇する。そして、上記特許文献１記載の構成では、互いに寸法の異なる複数の器具本体と複数の反射体との組み合わせに応じて、それぞれ専用の金型を作成して反射体取付具を製造する必要があり、製造コストが上昇する問題を有している。
【０００６】
本発明は、このような点に鑑みなされたもので、製造コストを低減できる照明器具を提供することを目的とする。
【課題を解決するための手段】
【０００７】
請求項１記載の照明器具は、電線導入口を設けた器具本体と；器具本体に沿って配置される反射体と；固着具受部を設けた固着具受け板部、この固着具受け板部の両端部から立ち上げられた側板部、及びこれら側板部の端部に連設され器具本体に固定される固定板部を一体に形成した取付金具と、電線導入口と固着具受け板部との間に位置する対向板部、この対向板部の両端部から立ち上げられた内側板部、及び、これら内側板部の端部に連設され固定板部とともに器具本体に固定される内固定板部を一体に形成した共通金具とを備えた反射体取付具と；固着具受部に固着され反射体を支持する固着具と；を具備しているものである。
【０００８】
そして、この構成では、取付金具に固着する固着具により、器具本体に反射体が支持される。電線導入口と固着具受け板部との間に位置する対向板部により、電線導入口から器具本体と反射体との間に導入される電線と固着具との干渉が防止される。取付金具及び共通金具はいずれも簡単な形状であり、部品加工が容易となり、製造コストが低減される。反射体の形状に応じた取付金具を用意すれば、複数の形状の反射体に対して共通金具を共通して使用することが可能であり、汎用性が向上し、製造コストが低減される。
【０００９】
請求項２記載の照明器具は、請求項１記載の照明器具において、取付金具には、固着具受け板部と対向板部との間の空間部へ連通する開口部分を覆う覆板部が一体に形成されたものである。
【００１０】
そして、この構成では、簡単な形状で製造コストの上昇を抑制しつつ、器具本体と反射体との間に導入された電線が、固着具受け板部と対向板部との間の空間部へ進入して、固着具と干渉することが防止される。
【００１１】
請求項３記載の照明器具は、請求項１または２記載の照明器具において、取付金具の側板部は、共通金具の内側板部の外側に嵌合するものである。
【００１２】
そして、この構成では、反射体取付具の剛性が容易に向上し、反射体が安定して支持される。
【発明の効果】
【００１３】
請求項１記載の照明器具によれば、取付金具に固着する固着具により、器具本体に反射体を支持できる。電線導入口と固着具受け板部との間に位置する対向板部により、電線導入口から器具本体と反射体との間に導入される電線と固着具との干渉を防止できる。取付金具及び共通金具はいずれも簡単な形状であり、部品加工が容易となり、製造コストを低減できる。反射体の形状に応じた取付金具を用意すれば、複数の形状の反射体に対して共通金具を共通して使用することが可能であり、汎用性を向上し、製造コストを低減できる。
【００１４】
請求項２記載の照明器具によれば、請求項１記載の効果に加え、取付金具には、固着具受け板部と対向板部との間の空間部へ連通する開口部分を覆う覆板部を一体に形成したため、簡単な形状で製造コストの上昇を抑制しつつ、器具本体と反射体との間に導入された電線が、固着具受け板部と対向板部との間の空間部へ進入して、固着具と干渉することを防止できる。
【００１５】
請求項３記載の照明器具によれば、請求項１または２記載の効果に加え、取付金具の側板部が、共通金具の内側板部の外側に嵌合するため、反射体取付具の剛性を容易に向上でき、反射体を安定して支持できる。
【発明を実施するための最良の形態】
【００１６】
以下、本発明の照明器具の一実施の形態を図面を参照して説明する。
【００１７】
図１は本発明の照明器具の一実施の形態を示す一部の分解斜視図である。図２は、同上照明器具を示す断面図である。図３は同上照明器具の使用状態を示す斜視図である。
【００１８】
図１ないし図３において、10は照明器具で、この照明器具10は、例えば天井面11などに直付けして取り付けられる直付け形の照明器具10であり、天井面11に直付設置される器具本体12と、固着具13及び反射体取付具14によりこの器具本体12を覆って取り付けられた反射板である反射体15と、器具本体12の長手方向の両端部に取り付けられた対をなすランプソケット16と、器具本体12の下面に取り付けられた図示しない安定器などの点灯回路となどを備えている。そして、天井内に配設された電線としての電源線18から供給される電力により、点灯回路を駆動し、ランプソケット16間に装着される光源としての放電ランプである直管形の蛍光ランプＬを点灯するようになっている。
【００１９】
そして、器具本体12は、例えば金属板を折曲して形成され、天井面11に密着して取り付けられる矩形板状の基板部21と、この基板部21の長手方向に沿った両側の縁部を下方に直角に折曲した縁板部22とを備えている。そして、基板部21の長手方向及び幅方向の中央部には、電源引込孔である円孔状の電源導入口24が形成されている。さらに、この電源導入口24の近傍には、電源導入口24を挟み、基板部21の幅方向に対をなす取付部である円孔状の器具本体側取付孔25が形成されている。
【００２０】
また、反射体15は、例えば金属板を折曲して形成され、器具本体12の長手方向に沿って器具本体12の下方を覆う主反射体部31と、この主反射体部31の長手方向に沿った両側の縁部を上方に直角に折曲した反射側板部32と、主反射体部31の長手方向の両端部を上方に直角に折曲した反射端板部33とを備えている。そして、これら反射側板部32及び反射端板部33の上側の縁部は、天井面11に当接するようになっている。そして、主反射体部31の長手方向及び幅方向の中央部には、取付部である円孔状の反射体側取付孔35が形成されている。さらに、反射端板部33には、ノックアウト部36が設けられ、必要に応じてこのノックアウト部36を切除することにより、送り配線でいわゆるＦケーブルなどの電源線を導入あるいは導出させることができる。
【００２１】
また、固着具13は、反射体取付ねじであり、ねじ山を設けた軸部37と、この軸部37の基端部に設けられた円板状の頭部38とを備えている。また、軸部37の先端部は、反射体側取付孔35への挿入時の作業性の向上などのため、尖った円錐状などに形成されている。
【００２２】
さらに、反射体取付具14は、それぞれ略コの字状をなす取付金具41と、共通金具42とを備えている。そして、取付金具41は、例えば１枚の金属板を図示しない金型を用いて折曲などして一体に形成され、四角板状をなすねじ受け板部である固着具受け板部44と、この固着具受け板部44の長手方向の両端部を上方に垂直に折曲した一対の四角板状をなす側板部45と、これら側板部45の上端部を外方に垂直にすなわち固着具受け板部44から離間する方向に水平に折曲した一対の四角板状をなす固定板部46と、各側板部45の両側の一部からそれぞれ垂直に折曲された２対すなわち合計４枚の四角板状をなすフラップ部とも呼びうる覆板部47とを備えている。そして、固着具受け板部44の長手方向及び幅方向の中央部には、ねじ孔である固着具受部48が形成されている。また、各固定板部46には、ねじ孔である固定具受部49が形成されている。なお、各側板部45の形状、例えば、長手寸法すなわち上下方向の寸法などは、反射体15の形状などに応じて、複数用意される。
【００２３】
また、共通金具42は、例えば１枚の金属板を図示しない金型を用いて折曲などして一体に形成され、四角板状をなすフラット部である対向板部51と、この対向板部51の長手方向の両端部を上方に垂直に折曲した一対の四角板状をなす内側板部52と、これら内側板部52の上端部を外方に垂直にすなわち対向板部51から離間する方向に水平に折曲した一対の四角板状をなす内固定板部53とを備えている。そして、各内固定板部53には、それぞれ円孔状の取付孔55が形成されている。なお、この共通金具42は、反射体15の形状などに関わらず、原則として１種類のみが用いられる。
【００２４】
そして、これら取付金具41及び共通金具42は、固定具としての２本のねじ58により、器具本体12に一体的に取り付けられている。すなわち、取付金具41の内側に共通金具42を嵌合するようにして、側板部45の内側に内側板部52を嵌合するとともに、固定板部46の上側に内固定板部53を重ね、固定具受部49と取付孔55とを位置合わせさせる。そして、内固定板部53を基板部21の下面に押し当て、各器具本体側取付孔25に取付孔55を位置合わせした状態で、基板部21の上側から、器具本体側取付孔25にねじ58を挿入し、さらに取付孔55を通過させて、固定具受部49に螺合する。そしてこのねじ58を締め付けることにより、内固定板部53を挟んだ状態で、固定板部46が基板部21側に締め付け固定される。また、この状態で、対向板部51と固着具受け板部44との間には、所定の高さ寸法の空間部60が形成されるとともに、この空間部60の両端の開口部分は、覆板部47で覆われるようになっている。
【００２５】
そして、このように器具本体12に取り付けられた反射体取付具14は、電線導入口24を跨ぐようにして配置されており、電線導入口24から導入された電源線18は、共通金具42により長手方向に沿った前後いずれかの方向に案内されるようになっている。
【００２６】
そして、この電源線18を点灯回路の端子台などに接続した状態で、器具本体12の下側に反射体15を取り付ける。この作業は、反射体15を固着具受け板部44の下側にあてがい、反射体側取付孔35を固着具受部48に位置合わせした状態で、反射体15の下側から固着具13の軸部37を反射体側取付孔35に挿入し、固着具受部48に螺合して締め付けることにより行う。この状態で、固着具13の軸部37の先端部は、取付金具41と共通金具42とで囲まれた空間部60内に位置し、電源線18など他の部材に干渉しないようになっている。また、対向板部51は、締め付けた固着具13の軸部37の先端部が当接しない位置に設定されている。
【００２７】
このように、本実施の形態によれば、器具本体12に固定して取り付けた反射体取付具14に螺合する固着具13により、器具本体12に反射体15を支持できる。
【００２８】
そして、この反射体取付具14は、器具本体12の長手方向の中央部に配置されており、容易に反射体15を安定して支持できる。また、電線導入口24についても、器具本体12の長手方向の中央部に配置されており、取付作業の方向性がなく、設置作業の作業性を向上できる。そして、この構成では、電線導入口24に対向して、反射体取付具14の固着具受部48すなわち固着具13が配置されることになるが、本実施の形態では、この電線導入口24と固着具受部48とに対向して対向板部51を設けたため、電線導入口24から導入した電源線18に、固着具13の先端部が接触せず、電源線18を容易に保護でき、作業性を向上できる。
【００２９】
また、反射体取付具14を構成する取付金具41及び共通金具42は、いずれも１枚の金属板を複数カ所で直角に折曲しただけの略コの字状に形成され、鋭角状に屈曲する部分などもない簡略な構造のため、例えば簡略な構造の金型で製造でき、部品加工を容易にでき、製造コストを低減できる。そして、これら取付金具41及び共通金具42は、固定具である同じねじ58により共締めして一体的に固定でき、部品点数を削減できるとともに作業性を向上して製造コストを低減できる。
【００３０】
さらに、反射体15あるいは器具本体12の形状に応じて、適宜の取付金具41を用意すれば良く、共通金具42は共通の形状の１種類を備えれば良いため、汎用性を向上し、製造コストを低減できる。すなわち、照明器具は、器具本体や反射体の形状はそれぞれ異なるものの、同様の形状で一部の寸法のみが異なる照明器具も存在し、このような場合には、同一の共通金具42を用い、複数の寸法の取付金具41を備えて選択的に用いることにより、金型などの製造装置に要するコストや部品の管理に要するコストなどが低減され、製造コストを低減できる。
【００３１】
また、反射体取付具14は、固着具受け板部44と対向板部51との間に位置する覆板部47を備え、固着具13の軸部37の先端部が挿入される空間部60を取り囲むようにしたため、電線導入口24から挿入される電源線18に限らずに、固着具13と他の部品との干渉を抑制できる。例えば、複数の照明器具10を互いに連結して取り付ける際のいわゆる送り配線による電源供給方法の場合に、照明器具10の端部のノックアウト部36から器具本体10の内部にいわゆるＦケーブルなどの電源線を挿入した際に、この電源線と固着具13との干渉を防止できる。さらに、この覆板部47は、取付金具41の側板部45を折曲して一体に形成したため、構造が簡略で、製造コストを低減できる。
【００３２】
さらに、本実施の形態では、取付金具41の側板部45が、共通金具42の内側板部52の外側に密着して嵌合するため、反射体取付具14の剛性を容易に向上でき、反射体15を安定して支持できる。
【００３３】
なお、上記の実施の形態では、覆板部47は、取付金具41の側板部45を折曲して一体に形成したが、この構成に限られず、例えば、固着具受け板部44から折曲して形成することもできる。また、覆板部47は、空間部60への挿入を防止できる程度に開口部分を覆えば良く、多少の隙間があっても良い。また、覆板部47は、省略することもできる。
【００３４】
また、取付金具41の固着具受部48及び固定具受部49は、それぞれねじ孔として形成したが、この構成に限られず、例えばそれぞれ円孔状に形成し、固着具13および固定具58としてセルフタッピングねじを用いることもできる。
【産業上の利用可能性】
【００３５】
本発明は、例えば、事務室の天井面に設置される施設照明器具として用いることができる。
【図面の簡単な説明】
【００３６】
【図１】本発明の照明器具の一実施の形態を示す一部の分解斜視図である。
【図２】同上照明器具を示す断面図である。
【図３】同上照明器具の使用状態を示す斜視図である。
【符号の説明】
【００３７】
10    照明器具
12    器具本体
13    固着具
14    反射体取付具
15    反射体
24    電線導入口
41    取付金具
42    共通金具
44    固着具受け板部
45    側板部
46    固定板部
47    覆板部
48    固着具受部
51    対向板部
52    内側板部
53    内固定板部
60    空間部
【図１】
2005174730.tif 000003
【図２】
2005174730.tif 000004
【図３】
2005174730.tif 000005